(57)【要約】【課題】本発明は、電流容量の異なる回路であっても同一レール上に大きさの異なる電気機器が従来の取り付け具を用いて載置できる構造を提供することを目的としている。【解決手段】本発明に係る分電盤６の電気機器取り付け構造は、電気機器を配置するための従来用いていた取り付けレール１０や支持具９を取り付け可能とした取り付け具５をレール２に取り付け、電流容量が異なり大きさの異なる電気機器を同一レール上に載置可能としたことを特徴とする。【選択図】図１
2007306690.tif 000002
【特許請求の範囲】
【請求項１】
前面に開口を有するキャビネットの底面に複数のレールを略並行に敷設し、該レール間に機器取り付け板を渡し、該機器取り付け板の上に前記電気機器を配列して構成される分電盤の電気機器取り付け構造であって、前記電気機器を配置するための従来用いていた取り付けレールや支持具を取り付け可能とした取り付け具を前記レールに取り付けたことを特徴とする分電盤の電気機器取り付け構造。
【請求項２】
前記分電盤の電気機器取り付け構造であって、前記支持具は前記分電盤の左右に敷設されたレールの側端部から小さい電気機器が取り付け可能となる位置まで内側に延設し、また、前記分電盤のキャビネット背面まで深さ方向に延設し、前記キャビネット背面でも前記電気機器を支持することを特徴とする請求項１に記載の分電盤の電気機器取り付け構造。
【発明の詳細な説明】
【技術分野】
【０００１】
本発明は、前面に開口を有するキャビネットの底面に複数のレールを略並行に敷設し、レール間に機器取り付け板を渡し、機器取り付け板の上に電気機器を配列して構成される分電盤の電気機器取り付け構造に関するものである。
【背景技術】
【０００２】
図２に示すように、各種電気機器を収納して成る分電盤３１は、キャビネット３２底面にレール３３を敷設し、このレール３３に機器取り付け板３４を渡し、機器取り付け板３４に機器３５を配列する。機器取り付け板３４に取り付けられる電気機器３５は、例えば、４００Ａと２００Ａというように電流容量の異なる場合、容量によって大きさが異なってくる。４００Ａの容量を持つ回路遮断器３５ａに合わせてレール３３を敷設した場合、そこに２００Ａの容量の回路遮断器３５ｂを配列しようとすると、そのままの状態では取り付けることができない。そこで、４００Ａの回路遮断器３５ａに合わせて敷設されたレール３３に２００Ａの回路遮断器３５ｂ等の電気機器が取り付けられるようなそれぞれの電気機器に専用の支持具やレール等の部材３６を製作していた。
【０００３】
しかし、すべての回路遮断器に対して専用の部材を製作すると汎用性がなく、そのユニットが増えるたびにそれ専用の部材も必要となり、在庫管理も大変手間が掛かっていた。そこで、図３に示すように、４００Ａと２００Ａのように容量の異なるユニットは同一レール３７上に置かずに、それぞれにレール３７、３８を敷設していた。多くは、左右に分けてレール３７、３８を敷設していた。
【０００４】
また、機器取り付け板の支持部材に関しては、高さ方向には、取り付けられる電気機器の大きさに合わせて調整できるものがあった。
【特許文献１】実開平４−２８１６６号公報
【特許文献２】実公昭６４−５９２２号公報
【発明の開示】
【発明が解決しようとする課題】
【０００５】
しかしながら、上記方法の分電盤では、系統によって左右に分けて電気機器を配列していたため、キャビネットを大きくしなければならず、分電盤の設置場所に広いスペースが必要であった。また、キャビネットを大きくするため、両開きの扉を使用し、キャビネットの製造コストも引き上げられていた。両開きのキャビネットを使用した場合、回路内容によってはどちらかに偏ることがあり、分電盤内部に不要なスペースができてしまうという欠点があった。
【課題を解決するための手段】
【０００６】
そこで本発明は、電流容量の異なる回路であっても同一レール上に電気機器が載置できる構造を提供することを目的とし、その構造は、電気機器を配置するための従来用いていた取り付けレールや支持具を取り付け可能とした取り付け具をレールに取り付けたことを特徴とする。
【０００７】
また、取り付け具は分電盤の左右に敷設されたレールの側端部から小さい電気機器が取り付け可能となる位置まで内側に延設し、また、分電盤のキャビネット背面まで深さ方向に延設し、キャビネット背面でも電気機器を支持することを特徴とする。
【発明の効果】
【０００８】
本発明に係る分電盤の電気機器取り付け構造は、レールにはそれぞれ支持具を取り付け、支持具はレールに取り付け可能であると共に、電気機器を配置するための従来用いていた取り付けレールや支持具を取り付け可能とした取り付け具をレールに取り付けたため、もともとの分電盤へ取り付けるための機器取り付け部品をそのまま使用できるので、部品の種類を少なくすることができ、在庫削減を図ることができる。また、両扉のキャビネットにしていたものを片扉のキャビネットに納めることができるので分電盤の省スペースが図ることができる。さらには、分電盤の設置後に大きさの違う機器を同じレール上に設置できるので、増設が簡単である。
【０００９】
また、取り付け具は分電盤の左右に敷設されたレールの側端部から小さい電気機器が取り付け可能となる位置まで内側に延設し、また、分電盤のキャビネット背面まで深さ方向に延設しキャビネット背面でも電気機器を支持するため、もともとの分電盤へ取り付けるための機器取り付ける部品をそのまま使用できるので、部品の種類を少なくすることができ、在庫削減を図ることができる。また、両扉のキャビネットにしていたものを片扉のキャビネットに納めることができるので分電盤の省スペースが図ることができる。さらには、分電盤の設置後に大きさの違う機器を同じレール上に設置できるので、増設が簡単である。また、支持具がキャビネットの背面まで延設されているため、内部機器のがたつきを抑えることができる。
【発明を実施するための最良の形態】
【００１０】
本発明に係る分電盤の内部機器取り付け構造を図１の添付図面に基づいて説明する。
【００１１】
キャビネット１にレール２を敷設し、レール２に、ブレーカ等の電気機器３を載置固定した取り付け板４を直接もしくは取り付け具５等を介して固定し分電盤６を構成する。取り付け具５は、キャビネット１に収納する機器３の大きさやその機器３に配線される電線の太さ、量に対応できる配線スペースが確保できるように形成する。
【００１２】
例えば、４００Ａの回路と２００Ａの回路を有する場合、キャビネット１には大きいほうの４００Ａ回路用の電気機器３の大きさや電線の太さに合わせたレール２を敷設する。レール２には取り付け穴７が設けられていて、この取り付け穴７に、取り付け具５や機器取り付け板４を取り付ける。取り付け具５や機器取り付け板４は、取り付ける電気機器３の寸法に合わせて形成する。この場合、大きいほうの４００Ａ回路用の電気機器３ａが取り付け可能であるように形成する。
【００１３】
一方、２００Ａ回路用の電気機器３ｂをキャビネット１に組み付ける場合は、４００Ａが取り付けられた同じ左右のレール２それぞれに取り付け具５を取り付ける。取り付け具５は、レール取り付け部５ａと機器取り付け部５ｂとを折曲形成し、レール取り付け部５ａをレール２に固定すると共に、機器取り付け部５ｂには機器３ｂを取り付ける。４００Ａ回路用の電気機器３ａより２００Ａ回路用の電気機器３ｂのほうが小型であるため、機器取り付け部５ｂはレール取り付け部５ａより内側に延設され且つ高い位置に形成される。また、機器取り付け部５ｂには、レール２に設けられている取り付け穴７と同じ間隔で固定穴８を設ける。
【００１４】
２００Ａ回路用の電気機器３ｂだけで分電盤６を構成する場合に用いている支持具９や機器取り付け板１０をそのまま使用して２００Ａ回路用の電気機器ユニットを構成し、レール２に取り付けられた支持具９に電気機器ユニットを取り付ける。
【００１５】
分電盤６には、充電部保護等の目的で電気機器３を配線覆い１１で施蓋する。このとき、配線覆い１１には開口を設け、電気機器３の操作ハンドル１２は開口より突出させ、施蓋した状態でも電気機器３を操作可能としている。４００Ａ回路用の電気機器３ａと２００Ａ回路用の電気機器３ｂとでは高さ寸法も異なるため、電気機器３の高さを大きいほうに合わせないと、開口から操作ハンドル１２が突出せず、電気機器３の操作ができない。
【００１６】
従来用いてきた電気機器取り付け用の支持具９や機器取り付け板１０をそのまま使用し、４００Ａ回路用に設けられたレール２に２００Ａ回路用の電気機器３ｂを間単に取り付ける構造である。４００Ａ回路用に設けられたレール２に２００Ａ回路用の電気機器３ｂを取り付け具５を介して取り付けるので、従来のように電気機器それぞれに専用の支持具を用意していたが、本発明に係る取り付け具は汎用化され、品種を減らすことができるので在庫削減となり在庫費用や在庫管理の手間を省くことができる。また、従来、左右に分けて配列していた電気機器を同じレールに取り付けが可能となり、分電盤が省スペースで設置できるようになる。
【００１７】
分電盤を設置した後に回路の変更があり改造が必要となった場合にも、この取り付け具により、容易に回路の増設が行える。
【００１８】
取り付け具は前記形状のように、レール取り付け部と機器取り付け部とから構成されるものに限定されるものではなく、例えば、レール取り付け部５ａの端面からさらにキャビネット１の底面まで支持部５ｃを設けてもよく、この場合、電気機器を支持部５ｃでも支持できるので、がたつきが抑えられる。
【図面の簡単な説明】
【００１９】
【図１】本発明に係る分電盤の内部機器取り付け構造を示す説明図である。
【図２】従来の分電盤の内部機器取り付け構造を示す説明図である。
【図３】従来の分電盤の内部機器取り付け構造を示す説明図である。
【符号の説明】
【００２０】
１    キャビネット
２    レール
３ａ  ４００Ａ回路用電気機器
３ｂ  ２００Ａ回路用電気機器
４    機器取り付け板
５    取り付け具
５ａ  レール取り付け部
５ｂ  機器取り付け部
５ｃ  支持部
６    分電盤
７    取り付け穴
８    固定穴
９    支持具
１０  機器取り付け板
１１  配線覆い
１２  操作ハンドル
【図１】
2007306690.tif 000003
【図２】
2007306690.tif 000004
【図３】
2007306690.tif 000005